(57)【要約】【課題】  貯蔵室に温度検知センサを適切に配置することで、貯蔵室内の温度を適切に検知する冷蔵庫を提供することを目的とする。【解決手段】  冷蔵庫本体１に形成された貯蔵室２と、貯蔵室２内の上部に設けられた発光ダイオード１６と、貯蔵室２の温度を検知する温度検知センサ３０と、を備えた冷蔵庫において、貯蔵室２の上面に凹形状に形成されて発光ダイオード１６を設けた基板１７ａ、１７ｂを収納する基板収納部２１有し、基板は第一の基板１７ａと、第一の基板１７ａと所定間隔で第二の基板１７ｂとを有し、温度検知センサ３０は、第一の基板１７ａと第二の基板１７ｂの間に配置した【選択図】図５
2014035166.tif 000002
【特許請求の範囲】
【請求項１】
冷蔵庫本体に形成された貯蔵室と、該貯蔵室内の上部に設けられた発光ダイオードと、前記貯蔵室の温度を検知する温度検知センサと、を備えた冷蔵庫において、
前記貯蔵室の上面に凹形状に形成されて前記発光ダイオードを設けた基板を収納する基板収納部を有し、
前記基板は、第一の基板と、該第一の基板と所定間隔で第二の基板とを有し、前記温度検知センサは、前記第一の基板と前記第二の基板の間に配置したことを特徴とする冷蔵庫。
【請求項２】
請求項１において、前記温度検知センサの結線部を前記第一の基板と前記第二の基板の間に配置させたことを特徴とする冷蔵庫。
【請求項３】
請求項１において、前記第一の基板側のコネクタと、前記第二の基板側のコネクタとが互いに向かい合うように配置されて、
前記温度検知センサに設けられた温度検知センサ側コネクタが前記第一の基板側のコネクタと前記第二の基板側のコネクタとの間に配置されて、
前記第一の基板、前記第二の基板及び前記温度検知センサに接続するコードは共通のコード引き込み口を通ることを特徴とする冷蔵庫。
【発明の詳細な説明】
【技術分野】
【０００１】
本発明は、冷蔵庫に関する。
【背景技術】
【０００２】
本技術分野の背景技術として、特開２００２−１４７９４６号公報（特許文献１）、特開２０１２−２６６７７号公報（特許文献２）がある。
【０００３】
特許文献１には、「冷蔵室１１の天井中央部付近には半透明の照明カバー８１ａで覆われた内部に照明灯（不図示）を備えた照明装置８１が設けられている。また、前記照明装置８１の右側後方の上面板４３に開口部を設け温度検出穴４３ｃとし、前記温度検出穴４３ｃの内側に温度検出素子７５（例えば：サーミスター等）を設け」ることが記載されている（段落［０１１０］）。
【０００４】
特許文献２には、「冷蔵室に奥側吹き出し風路１７ｄと天井側吹き出し風路１７ｅと風路を切り替えるツインダクトダンパーを備え、奥側吹き出し風路１７ｄの奥側温度センサー１８と天井側吹き出し風路１７ｅの天井側温度センサーの検出温度に基づいて、ツインダクトダンパーを制御して冷蔵室内の冷気量を制御する」ことが記載されている（要約）。
【先行技術文献】
【特許文献】
【０００５】
【特許文献１】特開２００２−１４７９４６号公報
【特許文献２】特開２０１２−２６６７７号公報
【発明の概要】
【発明が解決しようとする課題】
【０００６】
しかしながら、特許文献１の構成では、天井冷気通路５７内の冷気の影響を受けないように、天井冷気通路５７と温度検出素子７５を断熱壁部４３ｅで隔離する必要があり（特許文献１段落［０１１５］）、構造が大型化して複雑となる。
【０００７】
また、温度検出素子７５周辺の照明カバー８１ａ側に壁面を設け、照明灯の輻射熱による影響を遮ることが記載されているが（特許文献１段落［０１１２］）、この構成であっても構造が大型化して複雑となることに加えて、照明灯の照射範囲が遮られるおそれがある。
【０００８】
特許文献２では、天井ダクト６の両側に、天井ダクト６とは別体のＬＥＤ（Ｌｉｇｈｔ  Ｅｍｉｔｔｉｎｇ  Ｄｉｏｄｅ；発光ダイオード）の照明カバー７を設置しており、ＬＥＤ照明カバー７の前方位置に天井温度センサー９を設置ことが記載されているが（特許文献２段落[００３３］）、ＬＥＤの照射範囲や天井温度センサー９の設置の関係については考慮されていない。この構成では、ＬＥＤ照明カバー７に天井温度センサー９を設けることで、照射範囲を遮ってしまい、冷蔵室１内を適切に照明できないおそれがある。また、天井ダクト６に隣接して天井温度センサー９を設けていることから、天井温度センサー９は天井ダクト６を通る冷気の影響を受けて、冷蔵室１の雰囲気温度を適切に検知できないおそれがある。
【０００９】
そこで本発明は、貯蔵室に温度検知センサを適切に配置することで、貯蔵室内の温度を適切に検知する冷蔵庫を提供することを目的とする。
【課題を解決するための手段】
【００１０】
上記課題を解決するために、例えば特許請求の範囲に記載の構成を採用する。本願は上記課題を解決する手段を複数含んでいるが、その一例を挙げるならば冷蔵庫本体に形成された貯蔵室と、該貯蔵室内の上部に設けられた発光ダイオードと、前記貯蔵室の温度を検知する温度検知センサと、を備えた冷蔵庫において、前記貯蔵室の上面に凹形状に形成されて前記発光ダイオードを設けた基板を収納する基板収納部を有し、前記基板は、第一の基板と、該第一の基板と所定間隔で第二の基板とを有し、前記温度検知センサは、前記第一の基板と前記第二の基板の間に配置したことを特徴とする。
【発明の効果】
【００１１】
本発明によれば、貯蔵室に温度検知センサを適切に配置することで、貯蔵室内の温度を適切に検知する冷蔵庫を提供することができる。
【図面の簡単な説明】
【００１２】
【図１】本発明の実施例に係る冷蔵庫の正面図である。
【図２】図１の冷蔵庫の扉を除いた図であり、庫内照明装置の幅方向の照射範囲を示す図である。
【図３】図１のＡ−Ａ縦断面図であり、庫内照明装置の奥行方向の照射範囲を示す図である。
【図４】本発明の実施例に係る基板の取り付け構造を説明する図である。
【図５】図４に示す庫内照明装置からカバーを外し、矢印Ｐ方向より見た図である。
【図６】図４に示す基板固定用弾性部の詳細構造を示す図である。
【図７】図５に示す温度検知センサの取付構造を示す図である。
【発明を実施するための形態】
【００１３】
以下、図面を参照しながら本発明の実施例について説明する。
図１は、本発明の実施例に係る冷蔵庫の正面図である。図２は、図１の冷蔵庫の扉を除いた図であり、庫内照明装置の幅方向の照射範囲を示す図である。図３は、図１のＡ−Ａ縦断面図であり、庫内照明装置の奥行方向の照射範囲を示す図である。
【００１４】
図１から図３において、冷蔵庫本体１は、上から冷蔵室２，第二の冷凍室３，冷凍室４，野菜室５を有している。冷蔵室２の前方開口には、左側冷蔵室扉６ａ及び右側冷蔵室扉６ｂを備え、夫々上下のヒンジを介して回転することで冷蔵室２を開閉するフレンチドアを構成する。第二の冷凍室３，冷凍室４及び野菜室５の夫々の前方開口には、夫々の開口を開閉自在に第二の冷凍室扉７，冷凍室扉８及び野菜室扉９を備えている。なお、第二の冷凍室扉７，冷凍室扉８及び野菜室扉９は、前後に移動する引き出し式の扉である。
【００１５】
冷蔵室２内の上下方向に複数段設置された庫内棚１０は、透明な樹脂材で構成されている。これにより、食品が庫内棚１０上に収納設置されていないときには、後述する庫内照明の光を上面から下面方向に透過する。
【００１６】
左側冷蔵室扉６ａ及び右側冷蔵室扉６ｂの冷蔵室２側には、庫内棚１０と向かい合うように、上下方向に扉ポケット１１を複数段設けている。この扉ポケット１１も、透明な樹脂材で構成されており、後述する庫内照明の光を一側面から他側面に透過する。
【００１７】
図３に示す符号Ｇは、庫内棚先端１０ａと扉ポケット端面１１ａに設けられた隙間を示す。この隙間Ｇは、左側冷蔵室扉６ａ又は右側冷蔵室扉６ｂを開閉した場合、扉ポケット１１及びこの扉ポケット１１内の収納物（缶或いは瓶等）が、庫内棚先端１０ａに当たるのを防止するために設けられた隙間である。
【００１８】
次に、冷蔵室２の庫内背面には、冷蔵室２に導入された冷気で冷蔵室２全域を冷却するように冷気を案内する冷蔵室パネル１２を備える。冷蔵室パネル１２は、図３に示す如く、冷気吹き出し口１３を上下方向に複数有している。これにより、夫々の庫内棚１０の高さに対応して冷気が吹き出され、冷却効率を向上することができる。
【００１９】
冷蔵室パネル１２の前面には、反射部材１４が設けられる。反射部材１４は、冷気吹き出し口１３に対応する箇所に冷気吹き出し口１４ａを有している。この反射部材１４は、例えば、薄板状のアルミニウム，ステンレス，樹脂等の熱伝導性の高い材質で構成される。また、反射部材１４の表面は、光を反射する役目を果たすと共に、冷蔵室２内の冷却にも寄与する。なお、必ずしも反射部材１４を設ける必要はない。
【００２０】
庫内照明装置１５は、発光ダイオード１６を実装した実装基板１７とカバー１８等より構成されている。この庫内照明装置１５は、冷蔵室２の上面壁１９を断熱材２０側に窪ませた凹所に、図３に示す如く取り付けられている。
【００２１】
発光ダイオード１６は、実装基板１７に上面壁１９の横幅方向に二個、上面壁１９奥行き方向に二個配置されている。すなわち、前列１６ａと後列１６ｂとの合計で四個設けられている。
【００２２】
なお、発光ダイオード１６は、実装基板１７の面の奥行き方向に二列以上配置されていればよく、実装基板１７の幅方向に設けられる個数については特に限定しない。また、本実施例における発光ダイオード１６は、照射角の大きいもの、例えば約１２０度である。
【００２３】
前列１６ａの発光ダイオード１６は、隙間Ｇに対向するか、隙間Ｇよりも前方に位置するように取り付けられ、図３の如く冷蔵室２の内部上方に位置する。
【００２４】
後列１６ｂの発光ダイオード１６は、庫内棚１０の上方に位置し、最上部の庫内棚１０の後部に直接光が送り届けられる。換言すると、照射角１２０度の発光ダイオード１６の光が、庫内棚１０の最後部に届かせるためには、後列１６ｂの発光ダイオード１６の位置、或いは庫内棚１０の奥行き寸法が問題となる。本実施例においては、発光ダイオード１６の照射角、庫内棚１０の奥行き寸法及び後列１６ｂ側の発光ダイオード１６の位置関係は、庫内棚１０の最後端まで適切に照射させるように備えたものである。
【００２５】
以上は、庫内棚１０の奥行方向を庫内照明装置１５で照射する例で説明したが、次に、図２を参照しながら庫内棚１０の左右方向を照射する例を説明する。
【００２６】
本実施例の冷蔵庫は、幅Ｗ寸法が６５０ｍｍ以上、奥行きＤ寸法が６００ｍｍ以上である。そこで、最上段の庫内棚１０全域に光を届けるために、図２に示す如く庫内照明装置１５は、上記所定の幅を有し、両端の発光ダイオード１６から照射される光は、庫内棚１０の幅方向のそれぞれの端部に届くよう構成されている。このことにより、最上段の庫内棚１０両幅端に載置された食品にも光が当たり、視認性を高めることができる。
【００２７】
次に、庫内棚１０の前方及び扉ポケット１１に収納されている食品を照射する例について説明する。庫内照明装置１５の前列１６ａに位置する発光ダイオード１６は、隙間Ｇの真上又は隙間Ｇよりも前方に位置している。庫内棚１０の前方及び扉ポケット１１に収納された食品は、隙間Ｇ付近を上方から下方に指向性を持って進む発光ダイオード１６の光に照らされる。すなわち、発光ダイオード１６から照射された光は、その一部が最上部の庫内棚１０の前方及び最上部の扉ポケット１１の収納食品を照射して、残りの光はそのまま下方に直進する。そして、二段目の庫内棚１０の前方及び二段目の扉ポケット１１の収納食品を照射して、さらに残りの光が下方に直進する。そして、三段目の庫内棚１０の前方及び三段目の扉ポケット１１の収納食品を照射する構成である。
【００２８】
以上のように構成された冷蔵庫について、庫内棚１０に載置された食品の照明について説明する。冷蔵室２に吹き出された冷気は、冷蔵室２内全域を冷却する。また、反射部材１４は、反射部材１４周囲にある食品を間接冷却する。尚、反射部材１４は、冷蔵室２を冷却する冷気により他に比較して低温に冷却されている。一方、左側冷蔵室扉６ａ又は右側冷蔵室扉６ｂを開放すると、庫内照明装置１５が点灯する。そして庫内照明装置１５は、冷蔵室２内の全域を照明するように作用する。
【００２９】
庫内照明装置１５を構成する後列１６ｂの発光ダイオード１６から出る光は、庫内棚１０最上段の最後部、及び幅方向の両側端を直接照らす。また、庫内棚１０の二段目，三段目の後方に位置する反射部材１４に反射して、食品を庫内背面側からも間接的に照らす。
さらに、前列１６ａの発光ダイオード１６は、隙間Ｇを介して庫内棚１０の前方及び扉ポケット１１に向けて光を照射する。これにより、庫内照明装置１５は、冷蔵室２全域を明るく照らし、収納食品の位置を使用者に認識させることができる。
【００３０】
反射部材１４の上下方向の位置は、二段目，三段目の庫内棚１０の後方に位置している。なお、庫内棚１０が取り外し可能で、取り付ける高さを使用者が自由に調節できる冷蔵庫の場合、最上段の庫内棚１０の取り付け位置を下方に移動させることで、最上段の庫内棚１０の後方に反射部材１４が位置する。
【００３１】
以上のように本実施例の庫内照明装置１５は、扉ポケット１１及び庫内棚１０の前方は勿論、特に冷蔵庫上部、庫内棚１０後方、庫内背面等が良好に照らされることにより、収納食品の所在が明らかとなり、視認性を向上させるものである。
【００３２】
次に、本実施例の庫内照明装置である発光ダイオードの取り付け構造について説明する。
【００３３】
図４は、庫内照明装置における基板の取り付け構造を説明する図である。図５は、図４に示す庫内照明装置からカバーを外し、矢印Ｐ方向より見た図である。図６は、図４に示す基板固定用弾性部の詳細構造を示す図である。
【００３４】
発光ダイオード１６が実装された基板は、庫内奥行き方向に前後に二分割され、前列基板１７ａ（第一の基板）と、後列基板１７ｂ（第二の基板）を有する。前列基板１７ａ及び後列基板１７ｂは、それぞれ前列１６ａ，後列１６ｂの発光ダイオード１６が複数設けられている。
【００３５】
前列基板１７ａ及び後列基板１７ｂは、基板収納部２１の上面壁２１ａに設けられた係止手段である前側弾性部２９及び後側弾性部２２によってそれぞれ固定される。
【００３６】
基板収納部２１は、庫内側にカバー１８が設けられており、また、基板収納部２１は、上面壁１９を断熱材２０側に窪ませて形成した凹部に埋め込まれるように設置されている。
【００３７】
基板収納部２１は、前列基板１７ａ及び後列基板１７ｂを取り付けることができる大きさを有する他、断熱材２０を窪ませて形成した空間に、基板収納部２１の一部が埋め込まれるよう取り付けられている。更に、この基板収納部２１の上面壁２１ａは、冷蔵室２の上面壁１９と略平行となるよう構成されている。また、この基板収納部２１の大きさは、前述したように、二分割された実装基板１７（第一の基板１７ａ、第二の基板１７ｂ）が冷蔵室２内全域を照射するのに必要な奥行き寸法Ｌ２とする。
【００３８】
後側弾性部２２及び前側弾性部２９は、基板収納部２１と一体に構成される場合がある。一体に構成する場合、基板収納部２１を樹脂材で構成して、後側弾性部２２及び前側弾性部２９を同時成形することができる。後側弾性部２２及び前側弾性部２９は、図６に示す如く、前列基板１７ａ及び後列基板１７ｂを基板収納部２１の上面壁２１ａとの間に保持する保持部２３を有する。また、この後側弾性部２２は、先端に掛け部２２ａを有し、保持部２３に取り付けられた前列基板１７ａ及び後列基板１７ｂが抜け落ちるのを防止する。更に、後側弾性部２２及び前側弾性部２９の掛け部２２ａは、図６の破線の如く基部２２ｂを支点として、開口部２４を開き、実装基板１７を矢印Ｐ１方向より保持部２３内に挿入して取り付ける。
【００３９】
この後側弾性部２２及び前側弾性部２９は、図５にも示す如く、互いの開口部２４が間隔Ｌ１をもって向かい合うように基板収納部２１に設けられている。この間隔Ｌ１は、前列基板１７ａ及び後列基板１７ｂの夫々の幅寸法Ｗより大きく構成されており、前列基板１７ａ及び後列基板１７ｂは間隔Ｌ１を通して保持部２３内に組み付け、取り外すことができるように構成されている。
【００４０】
後側弾性部２２及び前側弾性部２９に取り付けられた前列基板１７ａ及び後列基板１７ｂと庫内棚１０間の寸法Ｌ３は、重要な寸法となる。すなわち、図４に示すＬ３寸法（最上段の庫内棚１０と庫内照明装置１５との間の高さ距離）が小さくなると、前列基板１７ａ及び後列基板１７ｂ上の発光ダイオード１６が照射できる範囲（奥行き方向，幅方向の寸法）が変わる。従って、庫内照明装置１５の取り付けにより、庫内照明装置１５から再上段の庫内棚１０までの距離であるＬ３寸法（図５参照）を小さくしないための工夫として、本実施例の場合、基板収納部２１の一部を断熱材２０側に埋め込み、基板収納部２１の上面壁２１ａとの間に保持部２３を設けるようにしている。
【００４１】
また、後側弾性部２２に後列基板１７ｂを挿入する方向が矢印Ｐ１方向であることで、弾性部の高さ寸法Ｌ４（図６参照）を小さくできる。すなわち、一枚の実装基板１７を、一対の向かい合う略Ｌ字形状の弾性部と略逆Ｌ字形状の弾性部との間に下方から挿入する方法では、弾性部の弾性変形が必要なため、Ｌ４寸法を大きくしなければならず、庫内照明装置１５の高さ寸法が大きくなってしまう。
【００４２】
本実施例では、前列基板１７ａ及び後列基板１７ｂは、それぞれ略Ｌ字形状の後側弾性部２２及び前側弾性部２９に水平方向に挿入する構造としたことで、庫内照明装置１５の上下高さ方向の寸法を大きくすることなく取り付け可能とされている。
【００４３】
なお、前列基板１７ａの挿入方向は図示しないが、矢印Ｐ１とは逆方向に挿入する。前側弾性部２９は後側弾性部２２とは前後方向に対称に設けられているためである。
【００４４】
また、長方形の実装基板を、一対の向かい合うＬ字形状の弾性部と逆Ｌ字形状の弾性部との間に、実装基板の短寸法側から、庫内幅方向にスライド挿入する構造でも、庫内照明装置１５の上下高さ方向の寸法を大きくすることなく取り付け可能である。
【００４５】
また、前側弾性部２９と後側弾性部２２ｂとは、図４，図５に示す如く、互いの開口部２４が向かい合うように基板収納部の上面壁２１ａに一体に設けられている。後側弾性部２２及び前側弾性部２９の開口部２４の間には、間隔Ｌ１が設けられている。組み立て時、この間隔Ｌ１を利用して、前後それぞれの開口部２４から水平方向に前列基板１７ａ及び後列基板１７ｂを保持部２３内に挿入し固定する。換言すると、前列基板１７ａ及び後列基板１７ｂの夫々の幅寸法Ｌ６より間隔Ｌ１の方が大きいということである。
【００４６】
ここで、後側弾性部２２と前側弾性部２９との間の寸法Ｌ１が大きい方が、発光ダイオード１６の照射範囲は広くなる。このことから、後側弾性部２２及び前側弾性部２９は、基板収納部２１の奥行き寸法Ｌ２内において、照射角が１２０度であることを考慮して、最大の照射範囲を得られる位置に設けられている。
【００４７】
左側冷蔵室扉６ａ及び右側冷蔵室扉６ｂの開放時、前列１６ａは、主に庫内棚１０の前方部を照らす。また、左側冷蔵室扉６ａ，右側冷蔵室扉６ｂが左右一対の観音開き扉であり、一方の扉が閉じている状態であれば、扉ポケット１１も照らす。更に、観音開き扉のうち、一方の扉が閉じている場合、隙間Ｇ（図４参照）を介すことで光を遮る物がなくなり、庫内棚１０前方と扉ポケット１１の全段及び冷蔵室２の最下方部を照らすことができる。
【００４８】
基板収納部２１内に実装基板１７を取り付けた後、基板収納部２１の下方開口を覆うカバー１８は、その表面にローレット（凹凸形状）が設けられており、照射角度を広くしている。
【００４９】
実装基板１７は、先にも説明した如く、庫内奥行き方向に前後に分割され、前列基板１７ａには、二個の発光ダイオード１６が、また、後列基板１７ｂにも二個の発光ダイオード１６が設けられている。
【００５０】
この発光ダイオード１６は、実装基板１７の厚み内に納められている。なお、この発光ダイオード１６の照射角も１２０度とされている。
【００５１】
前列基板１７ａ側に設けられた前側コネクタ２５（第一の基板側のコネクタ）と、後列基板１７ｂ側に設けられた後側コネクタ２６（第二の基板側のコネクタ）とが、互いに向かい合うように配置されることで、コネクタ間を結線するケーブルの長さを短くできる。また、４Ｐコネクタにより結線することにより、図５にも示す如く、一回路で結線を可能とし、誤配線等をなくすことができる。
【００５２】
なお、電源コード２７は、前側コネクタ２５を介して前列基板１７ａ，後列基板１７ｂに電気を供給するコードである。電源コード２７は、基板収納部２１に設けたコード引き込み口２８から、断熱材２０内を通して基板収納部２１内に引き込んでいる。
【００５３】
かかる構成を有する冷蔵庫において、冷蔵室２の扉を開けると、庫内照明装置１５は次のように冷蔵室２内を照明する。すなわち、後列１６ｂの発光ダイオード１６が、最上段の庫内棚１０上面並びに両側端の上面を照射することができるよう構成されているので、最上段の庫内棚１０に収納された収納食品には、発光ダイオード１６の光が直接当たる。
【００５４】
一方、庫内照明装置１５より照射された光が、反射部材１４に届くと、反射部材１４により反射され最上段以外の庫内棚１０の奥部を照明する。後列基板１７ｂは、当該作用をする位置に取り付けられている。なお、反射部材１４を設けていない場合であっても、後列基板１７ｂの発光ダイオード１６によって、各段の庫内棚１０の後方まで照射範囲をするようにしている。
【００５５】
さらに、前列基板１７ａは図４に示すように、扉ポケット１１と庫内棚１０との突合せ部に設けられている隙間Ｇ上に設けられ、この前列発光ダイオード１６より出た光は、隙間Ｇを介して扉ポケット１１と庫内棚１０の前方を照射する。
【００５６】
このように、前列１６ａ，後列１６ｂに配置した発光ダイオード１６により、冷蔵室２内は、冷蔵庫が設置された環境が暗くても、冷蔵室２全域が照明されて視認性が向上する。
【００５７】
弾性部の開口部を基板収納部に間隔Ｌ１を設けて向かい合うように設けると共に、前後に分割した実装基板を、上記間隔Ｌ１を利用して弾性部の開口部より保持部内に組み込み隙間Ｇを介して、前列の実装基板で扉ポケット及び庫内棚前方を照射し、後列の実装基板で庫内棚の後方奥部を照射するようにしたものである。
【００５８】
かかる構成によると、二分割された実装基板で冷蔵室内全域を照射するのに、基板収納部の奥行き寸法Ｌ２を最小とすることができる他、扉ポケット１１及び庫内棚１０前方は勿論、特に冷蔵庫最上段等は良好に照らされ収納食品の収納場所が分かり、食品の出し入れを容易にするものである。
【００５９】
なお、前側弾性部２９と後側弾性部２２を互いに向かい合わせにしない構成の場合、例えば、前側弾性部２９の開口部を前側に向けた場合、後側弾性部２２を後方に移動させて、前側弾性部２９の前側のスペースを確保することで、実装基板の取り付け作業をし易くする必要がある。これによって、間隔Ｌ１が小さくなり、発光ダイオードの庫内への照射範囲が狭くなってしまう。
【００６０】
そこで、本実施例は、基板収納部２１内において、前後に分割した前列基板１７ａと後列基板１７ｂとの間の前後方向の間隔Ｌ１を、庫内へ満遍なく照射する照射範囲、及び基板の取付作業性を向上する、最良の間隔としている。
【００６１】
次に、本実施例の温度検知センサ３０について、図５，図７を参照して説明する。図７は、図５に示す温度検知センサの取付構造を示す図である。
【００６２】
一般的に冷蔵室２内を所定温度に維持、冷却するために、冷蔵室２内には温度検知センサ３０を設けている。この温度検知センサ３０の検知温度に基づいて、図示しない冷凍サイクルや送風機の駆動を制御することにより、冷蔵室２への送風冷気量を調整し、冷蔵室２を所定温度範囲に維持している。
【００６３】
ここで、冷蔵室２の容積を大型化すると、冷蔵室２内で温度差が生じる場合がある。特に、低温の冷気は下降流となって冷蔵室２の下部に向かい易いため、冷蔵室２の上部は下部に比較して温度が上昇し易くなる。
【００６４】
そこで、本実施例では温度検知センサ３０を冷蔵室２の上面壁１９に設けることで、温度上昇し易い冷蔵室２上部の温度を検知する。この検知温度に基づき、冷蔵室２内を所定温度範囲に冷却制御する。
【００６５】
なお、温度検知センサ３０を上面壁１９に設けることに加えて、さらに冷蔵室２の後面壁や下面壁、冷蔵室扉等に温度検知センサを設けることで、冷蔵室２内の温度管理をより正確に行うことができる。
【００６６】
一方、冷蔵室２の上面壁１９には、先に説明したように、庫内照明装置１５を設けている。また、冷蔵室２の背面壁には、冷気吹き出し口１３，１４ａを設けている。この構成において、温度検知センサ３０を上面壁１９に設ける場合、庫内照明装置１５による照明範囲を遮ることなく、且つ冷気吹き出し口１３，１４ａからの吹き出し冷気による直接的な温度影響を避ける必要がある。庫内照明装置１５の照明範囲を遮ると、冷蔵室２内に影ができて暗くなる。また、冷気吹き出し口１３，１４ａからの吹き出し冷気の温度を直接検知してしまうと、冷蔵室２上部の雰囲気温度が高い状態にもかかわらず、所定温度に冷却されていると誤検知してしまう。
【００６７】
以上の点を考慮して、本実施例では温度検知センサ３０を、冷蔵室２の上面壁１９に凹形状に形成されて発光ダイオード１６を設けた基板（前列基板１６ａ、後列基板１６ｂ）を収納する基板収納部２１に配置している。
【００６８】
庫内照明装置１５に対し、温度検知センサ３０は、前列基板１７ａと後列基板１７ｂの間に配置している。前列基板１７ａと後列基板１７ｂの間には、温度検知センサ固定用弾性部３２が設けられており、この温度検知センサ固定用弾性部３２に温度検知センサ３０が固定される。
【００６９】
温度検知センサ固定用弾性部３２は、温度検知センサ３０の設置状態で前後（温度検知センサ３０の短手方向）に対になる形状で位置しており、左右方向（温度検知センサ３０の長手方向）に所定間隔で複数配置されている。
【００７０】
温度検知センサ固定用弾性部３２は、図７に示す下方への高さ寸法Ｌ５が、温度検知センサ３０とほぼ同じ高さ又はやや高い。すなわち、なるべく突出高さを抑えつつ温度検知センサ３０を固定できるようにしている。これにより、発光ダイオード１６の照射角度範囲を遮蔽しないようにしている。本実施例の発光ダイオード１６は照射角度が約１２０度であり、温度検知センサ３０の高さ及び温度検知センサ固定用弾性部３２の高さＬ５は約７ｍｍである。そして、温度検知センサ３０及び温度検知センサ固定用弾性部３２は、発光ダイオード１６の照射角度よりも外側の位置である約１７７〜１８３度に位置する。そのため、発光ダイオード１６の光を遮ることがなく好適である。
【００７１】
温度検知センサコード３６の一端は、温度検知センサ３０の長手方向の一端（図７では、温度検知センサ３０の右端）に接続されている。温度検知センサコード３６の他端は、温度検知センサ側コネクタ３１が接続されており、温度検知センサ側コネクタ３１を介して、コード引き込み口２８から基板収納部２１に引き込まれた冷蔵庫本体側コード３７と接続する。
【００７２】
温度検知センサコード３６は、温度検知センサコード固定用弾性部３３で支持、固定される。温度検知センサコード固定用弾性部３３は、温度検知センサ固定用弾性部３２から左右方向に所定間隔を空けて設けられている。この所定間隔は、温度検知センサコード３６がたるまない程度の距離である。これにより、温度検知センサコード３６が発光ダイオード１６の照射角範囲への侵入を防止している。
【００７３】
なお、温度検知センサコード固定用弾性部３３の突出高さは、発光ダイオード１６の照射角範囲外に位置する高さとしている。
【００７４】
また、温度検知センサコード３６を固定することで、温度検知センサ側コネクタ３を含む温度検知センサ３０の結線部の移動範囲が規制されて、発光ダイオード１６の照射角範囲への侵入の可能性を低減している。
【００７５】
このように、温度検知センサ３０を、冷蔵室２の上面壁１９に凹形状に形成されて発光ダイオード１６を設けた複数の実装基板（前列基板１６ａ、後列基板１６ｂ）を収納する基板収納部２１に配置することで、複数の実装基板及び温度検知センサに接続するコードの引き込み口２８を共通の箇所に集約することできる。これにより、基板用のコードと温度検知センサ用のコードを纏めることができ、コード毎に複数箇所の引き込み口を設ける場合に比べて、組み立て作業性が向上する。
【００７６】
また、冷蔵庫本体１に発泡断熱材（例えば発泡ウレタン）を充填発泡して断熱箱体を形成する際、貯蔵室側への引き込み口が複数箇所形成されていると、そこから断熱材が貯蔵室側に浸入する可能性が高くなる。本実施例では、引き込み口を一箇所に集約しているので、発泡断熱材の発泡漏れや発泡不良の可能性を低減できる。
【００７７】
本実施例では、奥行き方向に前列基板１７ａと後列基板１７ｂが設けられて、温度検知センサ３０は、前列基板１７ａと後列基板１７ｂの間に配置している。前列基板１７ａと後列基板１７ｂは、奥行距離Ｌ１隔てて配置している。奥行距離Ｌ１は、前列基板１７ａを前列基板固定用弾性部２９に係止させることができ、且つ後列基板１７ｂを後列基板固定用弾性部２２に係止させることができる組み立て性を考慮した寸法である。また、前列基板１７ａと後列基板１７ｂによる、それぞれの貯蔵室奥行き方向の照射範囲を考慮して、奥行距離Ｌ１を設定している。
【００７８】
すると、図３に示すように、前列基板１７ａと後列基板１７ｂの間で、いずれの発光ダイオード１６の照射範囲にも入らない部分が形成される。この部分に、温度検知センサ３０を設けることで、照明の機能を低下させることなく、庫内照明装置１５を含めた電気部品を、纏めて冷蔵室２内に配置することができる。
【００７９】
また、従来の白熱灯のような庫内照明装置は、発光するに伴い発熱する。そのため、温度検知センサ３０を庫内照明装置の近くに配置すると、照明による熱を検知してしまい、正しく冷蔵室２の温度を検知できない可能性がある。
【００８０】
一方、本実施例では、庫内照明装置１５に発光ダイオード１６を設けている。発光ダイオード１６は、消費する消費電力量は小さく発熱量も少ない。また、左側冷蔵室扉６ａ、右側冷蔵室扉６ｂの閉鎖時には消灯して、開放時に点灯させるため、発熱量はより小さくなる。本実施例は、発光ダイオード１６の発熱量を考慮して、温度検知センサ３０は、前列基板１７ａ及び後列基板１７ｂからそれぞれ所定距離を隔てて配置している。これにより、温度検知センサ３０は発光ダイオード１６の発熱による影響を受けないで、基板収納部２１に配置することができる。
【００８１】
また、基板収納部２１はカバー１８で覆われている。すなわち、温度検知センサ３０はカバー１８で覆われる。これにより、冷蔵室２の後部に設けた冷気吹き出し口１３から吹き出された冷気が、直接温度検知センサ３０には吹き付けられず、冷蔵室２の温度を適切に検出することができる。
【００８２】
なお、意図せずに扉が完全に閉まらない状態の場合、使用者にアラームや音声等で知らせる報知手段を備えることで、発光ダイオード１６の点灯時間が長期化して発熱量が上昇することを防止できる。また、扉の開放時間が所定時間以上になった場合、発光ダイオード１６を消灯する制御としてもよい。
【００８３】
本実施例では、基板収納部２１及び温度検知センサ３０を冷蔵室２の上面壁に設ける構成について説明したが、これに限定するものではない。例えば、冷蔵室２の側面壁や後面壁に庫内照明装置１５を配置する基板収納部２１を設けて、この基板収納部２１に温度検知センサ３０を設ける構成であってもよい。
【００８４】
また、冷蔵室２に限らず、冷凍室、野菜室、製氷室、温度切替室等、あらゆる貯蔵空間に適用できる。
【００８５】
また、貯蔵室の奥行方向に基板を複数配置して、その基板の間に温度検知センサを配置する構成を説明したが、これに限定するものではない。例えば、貯蔵室の左右方向又は上下方向に基板を複数配置して、その基板の間に温度検知センサを配置して、基板及び温度検知センサをカバー部材で覆う構成としてもよい。
【符号の説明】
【００８６】
１  冷蔵庫本体
２  冷蔵室
６ａ  左側冷蔵室扉
６ｂ  右側冷蔵室扉
１３，１４ａ  冷気吹き出し口
１５  庫内照明装置
１６  発光ダイオード
１６ａ  前列
１６ｂ  後列
１７ａ  前列基板（第一の基板）
１７ｂ  後列基板（第二の基板）
１８  カバー
１９  上面壁
２１  基板収納部
２１ａ  上面壁
２２  後列基板固定用弾性部（後側弾性部）
２２ａ  掛け部
２３  保持部
２４  開口部
２５  前側コネクタ（第一の基板側のコネクタ）
２６  後側コネクタ（第二の基板側のコネクタ）
２７  電源コード
２８  コード引き込み口
２９  前列基板固定用弾性部（前側弾性部）
３０  温度検知センサ
３１  温度検知センサ側コネクタ（結線部）
３２  温度検知センサ固定用弾性部
３３  温度検知センサコード固定用弾性部
３５  温度検知センサ配置部
３６  温度検知センサコード
３７  冷蔵庫本体側コード
【図１】
2014035166.tif 000003
【図２】
2014035166.tif 000004
【図３】
2014035166.tif 000005
【図４】
2014035166.tif 000006
【図５】
2014035166.tif 000007
【図６】
2014035166.tif 000008
【図７】
2014035166.tif 000009